(57)【特許請求の範囲】
【請求項１】
眼鏡フレームに重ねてレンズの適否を判定するための指標が描かれた可撓性を有するレイアウトチャートと、
前記レイアウトチャートを眼鏡フレームのフレームカーブに対応した曲率となるように湾曲させて保持するとともに眼鏡フレームの左右方向に移動可能に保持するチャート用保持部と、
眼鏡フレームをそのフロント部が前記レイアウトチャートに重なるように保持する眼鏡フレーム用保持部とを備え、
前記チャート用保持部は、前記眼鏡フレームの少なくとも二つの智部をそれぞれレイアウトチャートに接触させるものであり、
前記チャート用保持部に保持された前記レイアウトチャートと、前記眼鏡フレーム用保持部に保持された眼鏡フレームのブリッジ部との間には、隙間が形成されていることを特徴とする眼鏡加工用補助装置。
【請求項２】
請求項１記載の眼鏡加工用補助装置において、
さらに、前記チャート用保持部および前記眼鏡フレーム用保持部を支持するベース部を備え、
前記チャート用保持部は、前記レイアウトチャートが沿う凹曲面を有し、かつ前記ベース部に着脱可能に取付けられ、
前記ベース部に取付けられるチャート用保持部は、前記凹曲面の曲率を変えて予め用意された複数のチャート用保持部の中から選択されたものであって、前記凹曲面の曲率が前記フレームカーブの曲率に最も近いものであることを特徴とする眼鏡加工用補助装置。
【請求項３】
請求項１または請求項２記載の眼鏡加工用補助装置において、前記眼鏡フレーム用保持部は、前記眼鏡フレームのフロント部を挟んで保持する保持部材を備え、
前記保持部材は、前記レイアウトチャートに対して前記眼鏡フレームの使用状態における上下方向に移動可能であることを特徴とする眼鏡加工用補助装置。
【請求項４】
眼鏡フレームに重ねてレンズの適否を判定するための指標が描かれたレイアウトチャートを眼鏡フレームのフレームカーブと同方向に湾曲させるレイアウトチャート設置ステップと、
眼鏡フレームを前記レイアウトチャートの内側に位置付けるとともに、このレイアウトチャートに眼鏡フレームの少なくとも二つの智部が接触しかつ前記レイアウトチャートと前記眼鏡フレームのブリッジ部との間に隙間が形成されるように重ねる眼鏡フレーム設置ステップと、
前記レイアウトチャートと前記眼鏡フレームとのうち少なくともいずれか一方を他方に対して移動させて前記指標を前記眼鏡フレームに対して位置決めし、レンズの適否を判定する判定ステップとを有し、
前記判定ステップは、前記レイアウトチャートを前記眼鏡フレームのフレームカーブと一致する曲率以上の曲率に湾曲させた状態で行われることを特徴とする眼鏡レンズの適否判定方法。
【発明の詳細な説明】
【技術分野】
【０００１】
本発明は、眼鏡フレームに適した眼鏡レンズを選択する際に用いる眼鏡加工用補助装置および眼鏡レンズの適否判定方法に関するものである。
【背景技術】
【０００２】
一般に、眼鏡は、正面から見て眼鏡装用者の瞳孔とレンズの光学中心とが一致するように形成されている。この種の眼鏡において、レンズを眼鏡フレームに取付けるためには、先ず、瞳孔位置に相当する目標位置（アイポイント）を眼鏡フレームに設定する。この目標位置は、眼鏡装用者の瞳孔間距離を用いて設定される。すなわち、目標位置は、眼鏡フレームの左右方向の中心を挟んで前記瞳孔間距離だけ離れた位置に設定される。
【０００３】
次に、眼鏡フレームのリム部に取付けることができる大きさのレンズを選ぶ。このレンズは、未加工状態で円板状のものである。このレンズの選択作業で選択されるレンズは、前記目標位置に光学中心が位置付けられた状態で外径がリム部より大きくなるものであって、かつ外径が最小になるものである。このレンズの選択作業は、たとえば特許文献１に記載されているような眼鏡加工用補助装置を使用して行われている。選択されたレンズは、いわゆる枠入れ加工が施される。この枠入れ加工とは、円板状の未加工状態のレンズを眼鏡フレームのリム部の形状と一致する形状に変える加工である。この枠入れ加工は、レンズの光学中心を前記目標位置に一致させた状態で行われる。
【０００４】
特許文献１に開示された眼鏡加工用補助装置は、目盛りが描かれた基台と、眼鏡フレームのフロント部を前記目盛りに重なるように保持する保持部材とを備えている。前記フロント部にはダミーレンズが取付けられている。すなわち、この眼鏡加工用補助装置は、作業者がダミーレンズを通して前記目盛りを目視できるように形成されている。
前記目盛りは、基台の平坦面上に形成されており、保持部材は、前記平坦面の上にフロント部を重ねて保持する構成が採られている。
【０００５】
この眼鏡加工用補助装置を使用して上述したレンズの選択作業を行うためには、レンズの適否を判定するための指標が描かれたレイアウトチャートを使用する。前記指標は、外径が異なる複数のレンズの形状と、これらのレンズの各々の光学中心である。前記選択作業を行うに当たっては、先ず、前記レイアウトチャートを前記基台の上に載せ、そして、このレイアウトチャートの上に眼鏡フレームのフロント部を載せる。なお、眼鏡フレームのダミーレンズには、予め前記目標位置に目印を付けておくと作業が容易になることがある。なお、レイアウトチャートはレンズチャート、レンズカードということもある。
【０００６】
作業者は、眼鏡フレームをレイアウトチャートに重ねた後、レイアウトチャートに描かれているレンズと、眼鏡フレームのリム部とを比較し、レイアウトチャートを移動させながらレンズを選ぶ。このとき、作業者は、眼鏡フレームのリム部より外径が大きくかつ最も外径が小さくなるようなレンズを選ぶ。そして、作業者は、選んだレンズの光学中心を前記目印と重ね、このレンズの外形がリム部の外側に位置していることを目視で確認する。
ところで、近年の眼鏡としては、たとえばスポーツグラスなどと呼称されているものがある。この種の眼鏡の眼鏡フレームは、あおり角度が通常より大きく形成され、眼鏡装用者の顔面を覆うように大きく湾曲している。
【先行技術文献】
【特許文献】
【０００７】
【特許文献１】特許第３１２８１８５号公報
【発明の概要】
【発明が解決しようとする課題】
【０００８】
特許文献１に開示されているような眼鏡加工用補助装置では、上述したスポーツグラスに用いられているような大きなフレームカーブを有する眼鏡フレームを使用することができないという問題があった。この理由は、以下のように主に二つある。第１の理由は、眼鏡フレームが大きく湾曲しているために、基台の上に正しく載置することが難しいからである。
なお、フレームカーブとは、フレームの右側智、ブリッジ、左側智を通るカーブ（円弧、または球面の曲率）の平均値である。すなわちフレームカーブは、レンズが枠入れされる部分のフレームが形成する曲面形状の平均曲率をいう。一方、フレームカーブは、そり角と連動する傾向があり、一定の条件ではフレームカーブに代えてそり角を代用することも可能である。
【０００９】
第２の理由は、眼鏡フレームのリム部が基台上のレイアウトチャートに対して大きく傾斜するからである。レイアウトチャートは、基台に略水平に載置されている。一方、眼鏡レンズのリム部（ダミーレンズ）は、眼鏡フレームの左右方向の中央から耳側に向かうにしたがって次第にレイアウトチャートから離間するように傾斜する。このリム部は、上方から見ると実際より左右方向に短く見える。このため、リム部越しにレイアウトチャートを見てレイアウトチャートのレンズを選ぶと、小さく見えるリム部に適合したレンズ、言い換えれば実際のリム部より外径が小さいレンズが選ばれる。このようなレンズを枠入れ加工後にリム部に取付けると、リム部とレンズとの間に空間（欠損部）が生じてしまう。
【００１０】
本発明はこのような問題を解消するためになされたもので、フレームカーブが大きい眼鏡フレームに適合するレンズを選択できる眼鏡加工用補助装置および眼鏡レンズの適否判定方法を提供することを目的とする。
【課題を解決するための手段】
【００１１】
この目的を達成するために、本発明に係る眼鏡加工用補助装置は、眼鏡フレームに重ねてレンズの適否を判定するための指標が描かれた可撓性を有するレイアウトチャートと、前記レイアウトチャートを眼鏡フレームのフレームカーブに対応した曲率となるように湾曲させて保持するとともに眼鏡フレームの左右方向に移動可能に保持するチャート用保持部と、眼鏡フレームをそのフロント部が前記レイアウトチャートに重なるように保持する眼鏡フレーム用保持部とを備え、前記チャート用保持部は、前記眼鏡フレームの少なくとも二つの智部をそれぞれレイアウトチャートに接触させるものであり、前記チャート用保持部に保持された前記レイアウトチャートと、前記眼鏡フレーム用保持部に保持された眼鏡フレームのブリッジ部との間には、隙間が形成されていることを特徴とする。
【００１３】
本発明は、前記発明において、さらに、前記チャート用保持部および前記眼鏡フレーム用保持部を支持するベース部を備え、前記チャート用保持部は、前記レイアウトチャートが沿う凹曲面を有し、かつ前記ベース部に着脱可能に取付けられ、前記ベース部に取付けられるチャート用保持部は、前記凹曲面の曲率を変えて予め用意された複数のチャート用保持部の中から選択されたものであって、前記凹曲面の曲率が前記フレームカーブの曲率に最も近いものであることを特徴とする。
【００１４】
本発明は、前記発明において、前記眼鏡フレーム用保持部は、前記眼鏡フレームのフロント部を挟んで保持する保持部材を備え、前記保持部材は、前記レイアウトチャートに対して前記眼鏡フレームの使用状態における上下方向に移動可能であることを特徴とする。
本発明に係る眼鏡レンズの適否判定方法は、眼鏡フレームに重ねてレンズの適否を判定するための指標が描かれたレイアウトチャートを眼鏡フレームのフレームカーブと同方向に湾曲させるレイアウトチャート設置ステップと、眼鏡フレームを前記レイアウトチャートの内側に位置付けるとともに、このレイアウトチャートに眼鏡フレームの少なくとも二つの智部が接触しかつ前記レイアウトチャートと前記眼鏡フレームのブリッジ部との間に隙間が形成されるように重ねる眼鏡フレーム設置ステップと、前記レイアウトチャートと前記眼鏡フレームとのうち少なくともいずれか一方を他方に対して移動させて前記指標を前記眼鏡フレームに対して位置決めし、レンズの適否を判定する判定ステップとを有し、前記判定ステップは、前記レイアウトチャートを前記眼鏡フレームのフレームカーブと一致する曲率以上の曲率に湾曲させた状態で行われることを特徴とする。
【００１５】
本発明に係る眼鏡加工用補助装置は、以下の特徴事項をも有するものである。
請求項２記載の眼鏡加工用補助装置に用いられている前記各チャート用保持部の前記凹曲面は、眼鏡フレームの左右方向の長さが等しくなるように形成されているものである。
【００１６】
請求項３記載の眼鏡加工用補助装置に用いられている眼鏡フレーム用保持部の前記保持部材は、眼鏡フレームのリム部に接触可能な押圧板と、眼鏡フレームの鼻あて部に接触可能な突起とを備えている。
【００１７】
請求項１ないし請求項３のうちいずれか一つに記載の眼鏡加工用補助装置は、下端部に折り畳み式の補助脚部材をさらに備え、この補助脚部材は、眼鏡フレーム用保持部に保持された眼鏡フレームの使用状態における上部が下部より高くなるようにチャート用保持部が傾斜する使用位置と、前記上部と前記下部とが同じ高さになる収納位置との間で移動可能である。
【発明の効果】
【００１８】
本発明によれば、レイアウトチャートは、眼鏡フレームと対応するような曲率で曲げられ、眼鏡フレームの智部に接触する。また、眼鏡フレームは、湾曲したレイアウトチャートと重なる状態で移動することがないように固定される。このため、作業者は、フレームカーブが大きい眼鏡フレームであっても容易にリム部とレイアウトチャートとを重ねて見ることができる。
【００１９】
レイアウトチャートに設ける指標としては、レンズの光学中心、遠用アイポイント、近用アイポイント、外径が異なる複数のレンズの外形などを挙げることができる。すなわち、本発明によれば、フレームカーブが大きい眼鏡フレームであっても、作業者が眼鏡フレームに対するレンズの光学中心、遠用アイポイント、近用アイポイントの位置を正確に確認することができる。また、本願発明によれば、作業者は、フレームカーブが大きい眼鏡フレームであっても、眼鏡フレームに適合する外径のレンズを正確に選ぶことができる。さらに、本願発明によれば、作業者は、フレームカーブが大きい眼鏡フレームであっても、近用アイポイントがリム部内に位置しているか否かを正確に判定することができる。
【００２０】
本発明に係る眼鏡加工用補助装置においては、眼鏡フレームの智部がレイアウトチャートに接触しているから、レイアウトチャートの曲率がフレームカーブより小さくなるようなことはない。すなわち、レイアウトチャートは、眼鏡フレームのフロント部に沿うか、フレームカーブより曲率が大きくなって眼鏡フレームのブリッジ部との間に隙間が形成されるように湾曲する。
【００２１】
レイアウトチャートが前記フロント部に沿う場合は、レイアウトチャートの指標と眼鏡フレームのリム部とを容易に比較することができ、しかも正確な比較結果が得られる。レイアウトチャートに設けられている指標が複数のレンズの外形と各レンズの光学中心である場合は、適正な外径のレンズを選ぶことができる。ここでいう「適正」とは、レンズをリム部に取り付けた状態でレンズとリム部との間に欠損部が生じることがないことをいう。また、以下においては、レンズの外形と光学中心とが指標として描かれているレイアウトチャートを単に外径判定用レイアウトチャートという。
【００２２】
一方、レイアウトチャートの曲率がフレームカーブより大きい場合は、リム部よりレイアウトチャートの方が大きく傾斜することになる。このため、レイアウトチャートにおけるリム部越しに見える部分の左右方向の長さは、実際の長さより短くなる。前記外径判定用レイアウトチャートを使用する場合、レイアウトチャートのレンズは、実際より左右方向に小さく見える。すなわち、この場合は、実際より小さく見えたレンズ、言い換えればリム部より大きいレンズを選ぶことができる。
【００２３】
したがって、本発明によれば、前記外径判定用レイアウトチャートを使用することによって、外径が適正なレンズまたはリム部より外径が大きいレンズを選ぶことができる。このようなレンズは、枠入れ加工後にリム部に取り付けた状態で前記欠損部が生じることはないものである。
この結果、本発明によれば、フレームカーブが大きい眼鏡フレームに適合するレンズを選択可能な眼鏡加工用補助装置を提供することができる。
【００２４】
本発明に係る眼鏡レンズの適否判定方法によれば、レイアウトチャートが眼鏡フレームと同等か、あるいは実際より眼鏡フレームの左右方向に短く見える状態で判定が行われる。レイアウトチャートが眼鏡と同等の大きさに見える状態においては、正確な判定結果が得られる。また、レイアウトチャートが実際より左右方向に小さく見える状態でレンズの外径がリム部に適合しているか否かを判定すると、適合するレンズは実際より小さく見えたレンズ、言い換えればリム部より大きいレンズになる。このようなレンズは、枠入れ加工後にリム部に取り付けた状態で前記欠損部が生じることはないものである。
したがって、この方法によれば、フレームカーブが大きい眼鏡フレームであってもレンズの適否を正確に判定することができる。
【図面の簡単な説明】
【００２５】
【図１】本発明に係る眼鏡加工用補助装置の平面図である。
【図２】図１におけるIIーII線断面図である。
【図３】図１におけるIII−III線断面図である。
【図４】レイアウトチャートの平面図である。
【図５】眼鏡フレームをレイアウトチャートに重ねた状態を示す断面図である。
【図６】眼鏡フレームをレイアウトチャートに重ねた状態を示す断面図である。
【図７】眼鏡フレームをレイアウトチャートに重ねた状態を示す断面図である。
【図８】眼鏡フレームをレイアウトチャートに重ねた状態を示す斜視図で、同図は眼鏡加工用補助装置の下半部を省略した状態で描いてある。
【図９】眼鏡加工用補助装置の下半部を示す斜視図である。
【図１０】眼鏡加工用補助装置の下半部を示す斜視図である。
【図１１】眼鏡加工用補助装置の斜視図である。
【図１２】眼鏡加工用補助装置を裏側から見た状態を示す斜視図である。
【図１３】フレーム用保持部を裏側から見た状態を示す斜視図である。
【図１４】眼鏡レンズの適否判定方法を説明するためのフローチャートである。
【図１５】チャート用保持部の他の実施の形態を示す断面図である。
【図１６】チャート用保持部の他の実施の形態を示す断面図である。
【発明を実施するための形態】
【００２６】
（第１の実施の形態）
以下、本発明に係る眼鏡加工用補助装置の一実施の形態を図１〜図１４によって詳細に説明する。
図１に示す眼鏡加工用補助装置１は、基台２と、この基台２に取付けられたチャート用支持台３および眼鏡フレーム用ホルダー４とによって構成されている。図１は、眼鏡加工用補助装置１に眼鏡フレーム５を装着してレンズの適否を判定する状態で描いてある。以下においては、図１において上側（前記眼鏡フレーム５の使用状態における上側）を装置の上側または上部といい、反対側を下側または下部という。また、以下においては、図１において左側を装置の左側といい、右側を装置の右側という。さらに、以下においては、図１の紙面の表側で紙面から離間する方向を上方といい、これとは逆方向を下方という。
【００２７】
前記基台２は、下方に向けて開口する箱状に形成されている。この下方とは、図１の紙面の裏側である。詳述すると、この基台２は、平面視において四角形状に形成された主板１１（図１参照）と、この主板１１の四辺から下方に延びる４つの側板１２（図２，３および図１２参照）とを備えている。この実施の形態においては、基台２によって請求項２記載の発明でいうベース部が構成されている。
【００２８】
主板１１の四隅となる部分には、後述する眼鏡フレーム用ホルダー４を支持するための支柱１３がそれぞれ設けられている。これらの支柱１３のうち、基台２の左側に位置する２つの支柱１３の先端部どうしの間と、基台２の右側に位置する２つの支柱１３の先端部どうしの間とには、水平に延びるガイドロッド１４がそれぞれ架け渡されている。これらのガイドロッド１４は、前記主板１１と平行であって、かつ互いに平行になるように支柱１３に取付けられている。
【００２９】
主板１１の中央部には、図２、図３および図１２に示すように、後述するチャート用支持台３を取付けるための穴１５が形成されている。この穴１５は、主板１１から下方に延びる角筒１６の開口部分によって形成されている。また、主板１１の左右方向の中央部には、前記穴１５から上側と下側に延びるように凹部１１ａが形成されている。この凹部１１ａは、後述する眼鏡フレーム用ホルダー４が上下方向に移動するときに主板１１と干渉することを防ぐために形成されている。
【００３０】
主板１１の裏側であって四隅となる部分には、図１２に示すように、図示していない作業テーブルに接触する棒状の脚１７が形成されている。また、主板１１の上部の裏側には、作業テーブル（図示せず）上で基台２を傾斜させるために折り畳み式の板状の補助脚部材１８が設けられている。この補助脚部材１８は、図１２に示す収納位置と、図３中に実線で示す使用位置との間で揺動できるように基台２に取付けられている。使用位置に位置している補助脚部材１８は、図３に示すように、前記側板１２に下方から当接し、基台２の上部（眼鏡フレーム５の使用状態における上部）の荷重を支える。補助脚部材１８が使用位置にあるときは、基台２の上部が下部より高くなるように基台２が傾斜する。
【００３１】
前記チャート用支持台３は、図４に示すレイアウトチャート２１を湾曲させて支持するためのものである。レイアウトチャート２１を湾曲させるためには、詳細は後述するが、眼鏡フレーム５（図１参照）のフレームカーブに対応した曲率となるように行われる。この実施の形態においては、このチャート用支持台３によって本発明でいうチャート用保持部が構成されている。
【００３２】
前記レイアウトチャート２１は、紙やプラスチックなどの可撓性を有する材料によって左右方向に長い長方形状に形成されている。レイアウトチャート２１には、眼鏡フレーム５に重ねてレンズの適否を判定するための指標が描かれている。この指標とは、外径が異なる複数のレンズの外形２１ａと、これらのレンズの光学中心２１ｂと、アイポイント用目盛り２１ｃなどである。このアイポイント用目盛り２１ｃは、対象となるレンズが累進屈折力レンズである場合に近用アイポイントの位置を眼鏡フレーム５のリム部５ａと比較するためのものである。なお、累進屈折力レンズの場合は、遠用アイポイント（図示せず）を指標として設けることができる。
【００３３】
チャート用支持台３は、図２および図３に示すように、下方に向けて開口する箱状であって、前記穴１５に下方から着脱可能に嵌合する形状に形成されている。詳述すると、チャート用支持台３は、前記基台２の角筒の内側に嵌合する筒部３ａと、この筒部３ａの上方の開口部を塞ぐ支持板３ｂとを備えている。筒部３ａの開口端であって左右方向の両側には、前記角筒１６の下端に下方から当接するストッパー３ｃが設けられている。このストッパー３ｃは、筒部３ａの下方の開口端から左右両側方に突出する板状に形成されている。
【００３４】
前記支持板３ｂは、図１に示す平面視において、眼鏡フレーム５より大きくなるように形成されている。また、支持板３ｂは、図２および図５〜図１０に示すように、装置の上側から見て下方に向けて凸になるように湾曲した形状に形成されている。すなわち、支持板３ｂは、左右方向の両端部が高く、かつ左右方向の中央部が低くなるように湾曲している。この支持板３ｂは、図５〜図８に示すように、その表面（上面）に形成された凹曲面２２に前記レイアウトチャート２１を沿わせた状態で支持する。この実施の形態においては、たとえば図８に示すように、支持板３ｂの凹曲面２２にレイアウトチャート２１を密着させる部材を備えている。この部材は、後述する眼鏡フレーム用ホルダー４の上部バー２３（図５〜図８および図１１参照）と、下部バー２４（図９〜図１１）である。
【００３５】
基台２に取付けられている前記チャート用支持台３は、予め用意された複数のチャート用支持台３，３…の中から選択されたものである。これらの複数のチャート用支持台３は、それぞれ前記凹曲面２２の曲率を変えて形成されている。各チャート用支持台３の凹曲面２２の曲率は、眼鏡フレーム５のカーブ値に換算すると、0.5カーブ、1.0カーブ、2.0カーブ、3.0カーブ、4.0カーブ、5.0カーブ、6.0カーブ、7.0カーブ、8.0カーブなどである。
【００３６】
基台２に取付けるチャート用支持台３は、対象とする眼鏡フレーム５のフレームカーブよりカーブ値が大きいものであって、そのカーブ値がフレームカーブに最も近いものが選択されている。
チャート用支持台３のカーブ値と眼鏡フレーム５のフレームカーブとが一致する場合は、図５および図６に示すように、レイアウトチャート２１が眼鏡フレーム５のフロント部５ｂの略全域に接触する。
【００３７】
詳述すると、レイアウトチャート２１は、眼鏡フレーム５の二つの智部５ｃからブリッジ部５ｄに至る略全域がレイアウトチャート２１の上面に接触する。図５は、前記カーブ値が相対的に小さいチャート用支持台３に眼鏡フレーム５を載せた状態で描いてあり、図６は、前記カーブ値が相対的に大きいチャート用支持台３に眼鏡フレーム５を載せた状態で描いてある。このようにレイアウトチャート２１が前記フロント部５ｂに沿う場合は、レイアウトチャート２１の指標（レンズの外形２１ａ）と眼鏡フレーム５のリム部５ａとを容易に比較することができ、しかも正確な比較結果が得られる。
【００３８】
一方、チャート用支持台３のカーブ値が眼鏡フレーム５のフレームカーブより大きい場合は、図７に示すように、眼鏡フレーム５の二つの智部５ｃがレイアウトチャート２１に接触し、ブリッジ部５ｄとレイアウトチャート２１との間には隙間Ｓ１が形成される。すなわち、この実施の形態によるチャート用支持台３は、眼鏡フレーム５の少なくとも二つの智部５ｃ，５ｃをそれぞれレイアウトチャート２１に接触させるように構成されている。
【００３９】
このような場合、眼鏡フレーム５のリム部５ａよりレイアウトチャート２１の方が水平に対して大きく傾斜する。この状態で上方からチャート用支持台３と眼鏡フレーム５とを見ると、実際より左右方向に短いレンズの外形２１ａがリム部５ａに適合するように見える。すなわち、この場合は、実際より小さく見えたレンズ、言い換えればリム部５ａより大きいレンズを選ぶことができる。
【００４０】
前記眼鏡フレーム用ホルダー４は、図９〜図１１および図１３に示すように、前記レイアウトチャート２１をチャート用支持台３に密着させる機能を有する前記上部バー２３および下部バー２４と、これらの上部バー２３と下部バー２４の左右方向の両端部どうしを接続する左右一対のスライダ２５，２５とを備えている。この実施の形態においては、この眼鏡フレーム用ホルダー４によって、本発明でいう眼鏡フレーム用保持部が構成されている。
【００４１】
前記上部バー２３および下部バー２４は、図１に示すように、平面視において左右方向に延びる形状であって、図２に示すように、装置の上側または下側から見て下方（基台２側）に向けて凸になる湾曲した形状に形成されている。上部バー２３および下部バー２４は、図５、図６、図９および図１０に示すように、前記チャート用支持台３との間にレイアウトチャート２１の厚み寸法に相当する隙間が形成されるように位置付けられている。
上部バー２３と下部バー２４との間には、図１に示すように、眼鏡フレーム５を挿入するための空間Ｓ２が形成されている。
【００４２】
上部バー２３は、図１に示すように、平面視において左右方向に直線状に延びる形状に形成されている。この上部バー２３における下部バー２４と対向する部分には、眼鏡フレーム５のフロント部５ｂが当接する平坦な受圧面２３ａが形成されている。
下部バー２４の左右方向の中央部には、図９〜図１１および図１３に示すように、眼鏡フレーム５を保持するための保持機構３１が設けられている。この保持機構３１は、下部バー２４の前記中央部に形成されたケース３２と、このケース３２に支持されたスライド部材３３と、ケース３２内に設けられた圧縮コイルばね３４などによって構成されている。
【００４３】
スライド部材３３は、ケース３２に平面視において上下方向に移動自在に支持されている。前記圧縮コイルばね３４は、スライド部材３３を装置の上側に向けて付勢している。また、スライド部材３３は、図１３に示すように、下部バー２４を貫通して下側に突出する左右一対の棒状のガイド部材３３ａを備えている。このガイド部材３３ａの先端部には、スライド部材３３の装置上側への移動を規制するためにストッパー３３ｂが形成されている。
【００４４】
スライド部材３３は、装置上側の端部が前記ケース３２から上部バー２３に向けて突出するように形成されている。スライド部材３３の装置上側の端部には、図９〜図１１に示すように、押圧板３５と突起３６とを有する押圧子３７とが設けられている。押圧板３５は、眼鏡フレーム５のリム部５ａを押すためのものである。突起３６は、眼鏡フレーム５の鼻あて部（図示せず）を押すためのものである。図１１に示す眼鏡フレーム５は、スライド部材３３の押圧板３５がリム部５ａに接触した状態でスライド部材３３によって上部バー２３に押し付けられている。
【００４５】
この実施の形態による押圧子３７は、スライド部材３３に着脱可能に取付けられている。この押圧子３７は、図９および図１０に示すように、高さを変えて複数種類用意されている。眼鏡フレーム５のフレームカーブが小さいときは、図９に示すように、高さが低い押圧子３７が使用される。フレームカーブが大きい場合は、図１０に示すように、高さが高い押圧子３７が使用される。すなわち、フレームカーブの大小の影響を受けることなく、確実に眼鏡フレーム５が保持される。
【００４６】
前記圧縮コイルばね３４は、図３および図１３に示すように、下部バー２４のピン３８が貫通する状態で下部バー２４とスライド部材３３の上部との間に挿入されている。前記ピン３８は、下部バー２４に上部バー２３へ向けて延びる状態で固定されており、スライド部材３３の内部に挿入されている。この実施の形態においては、前記保持機構３１と前記上部バー２３とによって、請求項３記載の発明でいう「保持部材」が構成されている。
【００４７】
上部バー２３と下部バー２４とを接続する前記一対のスライダ２５は、図２に示すように、前記ガイドロッド１４が貫通しており、このガイドロッド１４を介して基台２に移動自在に支持されている。すなわち、眼鏡フレーム用ホルダー４は、上部バー２３と下部バー２４とによって眼鏡フレーム５を保持した状態でガイドロッド１４に沿って平行移動することができる。
【００４８】
次に、上述したように構成された眼鏡加工用補助装置１を使用して眼鏡レンズの適否を判定する方法を図１４によって説明する。この実施の形態による眼鏡加工用補助装置１を使用することにより、次の二つの判定を行うことができる。第１の判定は、使用可能なレンズの判定である。すなわち、対象とする眼鏡フレーム５に対して使用可能なレンズを選択することができる。第２の判定は、使用するレンズが累進屈折力レンズである場合に近用アイポイントが眼鏡フレーム５のリム部５ａ内に位置しているか否かの判定である。
【００４９】
これらの判定を行うに当たっては、先ず、対象とする眼鏡フレーム５に適合するチャート用支持台３を選択する。このときは、次の二つの条件を満たす必要がある。第１の条件は、眼鏡フレーム５の左右の智部５ｃ，５ｃがレイアウトチャート２１にそれぞれ接触することである。第２の条件は、ブリッジ部５ｄとレイアウトチャート２１との間に隙間Ｓ１が形成されないか、この隙間Ｓ１が可及的狭くなることである。このように選択されたチャート用支持台３は、基台２の穴１５に裏側から挿入され、基台２に取付けられる。チャート用支持台３が基台２に取付けられた後、図１４においてステップＳ１で示すように、レイアウトチャート設置ステップが実施される。
【００５０】
レイアウトチャート設置ステップにおいては、先ず、眼鏡フレーム用ホルダー４をたとえば図１において基台２に対して装置下側へ移動させ、チャート用支持台３の上方を広く開放させる。次に、作業者（図示せず）がレイアウトチャート２１をチャート用支持台３の凹曲面２２に重ね、この凹曲面２２に沿うように湾曲させる。このとき、レイアウトチャート２１は、眼鏡フレーム５のフレームカーブと同方向に湾曲させられる。その後、作業者が眼鏡フレーム用ホルダー４を装置上側に移動させ、上部バー２３と下部バー２４とをレイアウトチャート２１の上に重ねる。この結果、レイアウトチャート２１は、上部バー２３と下部バー２４とによって上方への移動が規制され、湾曲した状態でチャート用支持台３に保持される。
【００５１】
次に、図１４に示す眼鏡フレーム設置ステップＳ２において、作業者が眼鏡フレーム５を眼鏡フレーム用ホルダー４に保持させる。眼鏡フレーム５のリム部５ａには、予めダミーレンズを取り付けておく。このダミーレンズには、図示してはいないが、眼鏡装用者の瞳孔と対向する位置に予め目印が記入されている。
眼鏡フレーム５を眼鏡フレーム用ホルダー４に保持させるに当たっては、先ず、スライド部材３３を圧縮コイルばね３４のばね力に抗して指で装置下側に移動させる。次に、上部バー２３と下部バー２４との間に眼鏡フレーム５を上方から挿入する。この状態で作業者がスライド部材３３を押す指の力を緩めてスライド部材３３を眼鏡フレーム５のリム部５ａまたは鼻あて部に接触させる。スライド部材３３が左右のリム部５ａまたは鼻あて部に均等に接触することによって、眼鏡フレーム５が眼鏡フレーム用ホルダー４の左右方向の中央に位置決めされる。
【００５２】
この状態で作業者がスライド部材３３から指を離すことによって、スライド部材３３が圧縮コイルばね３４のばね力で眼鏡フレーム５のフロント部５ｂを上部バー２３に押し付ける。このとき、眼鏡フレーム５は、スライド部材３３と上部バー２３とによって挟まれ、外れることがないように保持される。また、この眼鏡フレーム５は、図１１に示すように、レイアウトチャート２１の上に重ねられる。この眼鏡フレーム５の２つの智部５ｃ，５ｃは、図５〜図７に示すように、レイアウトチャート２１に接触する。このように眼鏡フレーム５の保持が完了した後、図１４に示す判定ステップＳ３に移る。
【００５３】
判定ステップＳ３による判定は、作業者がレイアウトチャート２１に描かれている指標と、眼鏡フレーム５とを見比べて行う。判定ステップＳ３においては、先ず、レイアウトチャート２１に指標として描かれている複数のレンズの外形２１ａと眼鏡フレーム５のリム部５ａとが比較される。そして、リム部５ａより外径が大きくかつ最も外径が小さいレンズの外形２１ａが選択される。次に、このレンズの外形２１ａの光学中心２１ｂと、ダミーレンズの前記目印とが一致するように、レイアウトチャート２１と眼鏡フレーム５との少なくともいずれか一方を他方に対して移動させる。
【００５４】
すなわち、前記光学中心２１ｂと前記目印との左右方向への位置ずれは、レイアウトチャート２１をチャート用支持台３と上部バー２３および下部バー２４との間で左右方向に移動させることによって解消する。上下方向への位置ずれは、眼鏡フレーム５とともに眼鏡フレーム用ホルダー４をチャート用支持台３に対して上下方向に移動させることによって解消する。
次に、前記光学中心２１ｂと前記目印とが一致している状態でレイアウトチャート２１のレンズの外形２１ａとリム部５ａとを見比べ、レンズの外形２１ａがリム部５ａの外側に位置しているか否かを判定する。外形２１ａがリム部５ａの内側に入るような場合は、このレンズより外径が大きいレンズの光学中心２１ｃが目印に一致している状態で、再度上記判定を行う。
【００５５】
このように光学中心２１ｃと前記目印とが一致している状態でリム部５ａより外径が大きいレンズがこの眼鏡フレーム５に適合するレンズとして選択される。また、対象としているレンズが累進屈折力レンズである場合は、レイアウトチャート２１の遠用アイポイントと前記目印とが一致している状態で近用アイポイントの位置がリム部５ａの内側に位置しているか否かを判定する。この判定は、レイアウトチャート２１に記載されている目盛り２１ｃを使用して行う。判定ステップＳ３で行う上記判定作業は、左眼用レンズと右眼用レンズとの両方についてそれぞれ行う。
【００５６】
この実施の形態による眼鏡加工用補助装置１においては、レイアウトチャート２１が眼鏡フレーム５と対応する曲率で曲げられ、眼鏡フレーム５がレイアウトチャート２１と重なる状態で移動することがないように固定される。したがって、作業者は、フレームカーブが大きい眼鏡フレーム５であっても容易にリム部５ａとレイアウトチャート２１とを重ねて見ることができる。この結果、フレームカーブが大きい眼鏡フレーム５であっても、作業者が眼鏡フレーム５に対するレンズの光学中心、遠用アイポイント、近用アイポイントの位置などを正確に確認することができる。また、作業者は、眼鏡フレーム５に適合する外径のレンズを正確に選ぶことができる。さらに、作業者は、フレームカーブが大きい眼鏡フレーム５であっても、近用アイポイントがリム部５ａ内に位置しているか否かを正確に判定することができる。
【００５７】
また、この眼鏡加工用補助装置１においては、眼鏡フレーム５の左右の智部５ｃ，５ｃがレイアウトチャート２１に接触しているから、レイアウトチャート２１の曲率がフレームカーブより小さくなるようなことはない。すなわち、レイアウトチャート２１は、眼鏡フレーム５のフロント部５ｂに沿うか、フレームカーブより曲率が大きくなって眼鏡フレーム５のブリッジ部５ｄとの間に隙間Ｓ２が形成されるように湾曲する。
【００５８】
レイアウトチャート２１が前記フロント部５ｂに沿う場合は、図５および図６に示すように、レイアウトチャート２１の指標と眼鏡フレーム５のリム部５ａとを容易に比較することができ、しかも正確な比較結果が得られる。すなわち、レイアウトチャート２１の複数のレンズの外形２１ａとリム部５ａとを比較することによって、適正な外径のレンズを選ぶことができる。ここでいう「適正」とは、レンズをリム部５ａに取り付けた状態でレンズとリム部５ａとの間に欠損部が生じることがないことをいう。
【００５９】
一方、レイアウトチャート２１の曲率がフレームカーブより大きい場合は、図７に示すように、リム部５ａよりレイアウトチャート２１の方が大きく傾斜することになる。このため、レイアウトチャート２１におけるリム部５ａを通して見える部分の左右方向の長さは、実際の左右方向の長さより短くなる。すなわち、レイアウトチャート２１の複数のレンズの外形２１ａは、実際より左右方向に小さく見える。この場合は、実際より小さく見えたレンズ、言い換えればリム部５ａより大きいレンズを選ぶことができる。
したがって、この実施の形態によれば、外径が適正なレンズまたはリム部５ａより外径が大きいレンズを選ぶことができる。このようなレンズは、枠入れ加工後にリム部５ａに取り付けた状態で前記欠損部が生じることはないものである。
【００６０】
この実施の形態による眼鏡加工用補助装置１は、レイアウトチャート２１と、眼鏡フレーム５のブリッジ部５ｄとの間に隙間Ｓ１が形成されることを許容するものである。このため、凹曲面２２の曲率が異なる複数のチャート用支持台３を用意するに当たっては、眼鏡フレーム５の全てのフレームカーブに対応させる必要はない。すなわち、この実施の形態で示したように、９種類のチャート用支持台３のみによって、略全ての種類の眼鏡フレーム５について上記判定を行うことができる。
したがって、この実施の形態によれば、多くの種類の眼鏡フレーム５を使用可能であるから、汎用性が高い眼鏡加工用補助装置を提供することができる。
【００６１】
この実施の形態による眼鏡加工用補助装置１は、前記チャート用支持台３を着脱可能に支持する基台２を備えているとともに、曲率が異なる複数種類のチャート用支持台３を備えている。各チャート用支持台３は、前記レイアウトチャート２１を凹曲面２２に沿わせて保持するものである。前記基台２に取付けられるチャート用支持台３は、前記凹曲面２２の曲率がフレームカーブの曲率に最も近いものである。すなわち、チャート用支持台３は、眼鏡フレーム５のフレームカーブに対応したものが選ばれて使用される。このため、この実施の形態によれば、フレームカーブが異なる多くの種類の眼鏡フレーム５について、レンズの適否を正確に判定することができる。また、この装置は、多くの種類の眼鏡フレーム５を使用できる構成を採っているにもかかわらず、製造コストを低く抑えることができる。これは、基台２や眼鏡フレーム用ホルダー４などは交換しなくてよいからである。
【００６２】
この実施の形態による眼鏡フレーム用ホルダー４は、眼鏡フレーム５のフロント部５ｂを挟んで保持する保持部材（保持機構３１と上部バー２３）を備えている。この保持部材は、レイアウトチャート２１に対して上下方向に移動可能である。
このため、この実施の形態による眼鏡加工用補助装置１は、前記リム部５ａの内側を遮ることがないように眼鏡フレーム５を保持できるものとなる。この眼鏡フレーム５は、眼鏡フレーム用ホルダー４に保持された状態でレイアウトチャート２１に対して前記上下方向に移動することができる。
したがって、この実施の形態によれば、レイアウトチャート２１の指標と眼鏡フレーム５との位置を合わせる作業を容易に行うことができ、レンズの適否の判定を速やかに行うことができるから、生産性が高くなる。
【００６３】
この実施の形態による眼鏡レンズの適否判定方法は、レイアウトチャート設置ステップと、眼鏡フレーム設置ステップと、判定ステップとによって実施する方法である。この適否判定方法においては、上述したように、レイアウトチャート２１が眼鏡フレームと同等か、あるいは実際より眼鏡フレーム５の左右方向に短く見える状態で判定が行われる。レイアウトチャート２１が眼鏡フレーム５と同等の大きさに見える状態においては、正確な判定結果が得られる。また、レイアウトチャート２１が実際より左右方向に小さく見える状態でレンズの外径がリム部５ａに適合しているか否かを判定すると、枠入れ加工後にリム部５ａに取り付けた状態で前記欠損部が生じることがないレンズが選ばれる。
したがって、この実施の形態によれば、フレームカーブが大きい眼鏡フレーム５であってもレンズの適否を正確に判定することができる。
【００６４】
この実施の形態における各チャート用支持台３の凹曲面２２は、左右方向の長さが等しくなるように形成されている。
このため、眼鏡フレーム５の智部５ｃがレイアウトチャート２１に必ず接触するように各チャート用保持部を形成することができる。この結果、この実施の形態によれば、より一層正確にレンズの適否を判定することが可能になる。
【００６５】
この実施の形態による眼鏡フレーム用ホルダー４のスライド部材３３は、眼鏡フレーム５のリム部５ａに接触可能な押圧板３５と、眼鏡フレーム５の鼻あて部に接触可能な突起３６とを備えている。このため、この実施の形態によれば、殆どの種類眼鏡フレーム５を保持できる眼鏡加工用補助装置を提供できる。
【００６６】
この実施の形態による基台２は、折り畳み式の補助脚部材１８を備えている。この補助脚部材１８は、眼鏡フレーム用ホルダー４に保持された眼鏡フレーム５の使用状態における上部が下部より高くなるようにチャート用支持台３が傾斜する使用位置と、前記上部と前記下部とが同じ高さになる収納位置との間で移動可能である。この補助脚部材１８を使用位置に移動させることによって、レイアウトチャート２１と眼鏡フレーム５とが作業者に向けて傾斜するようになる。このため、この実施の形態によれば、作業性が高い眼鏡加工用補助装置を提供することができる。
【００６７】
（第２の実施の形態）
本発明に係る眼鏡加工用補助装置のチャート用保持部は、図１５または図１６に示すように構成することができる。図１５および図１６において、前記図１〜図１４によって説明したものと同一もしくは同等の部材については、同一符号を付し詳細な説明を適宜省略する。
図１５に示すチャート用保持部４１は、レイアウトチャート２１の左右方向の両端部を保持する左右一対のクランプ部４２，４３と、これらのクランプ部４２，４３を支持する支持部４４とによって構成されている。各クランプ部４２，４３には、レイアウトチャート２１が移動自在に貫通する複数のスリット４５が上下方向に並べて形成されている。左側のスリット４５と右側のスリット４５とは、左右対称となる形状に形成されている。これらのスリット４５は、レイアウトチャート２１が下方に向けて湾曲し、かつ曲率がスリット毎に異なるように傾斜して形成されている。
【００６８】
これらのスリット４５のうち、図１５において最も下に位置するスリットは、レイアウトチャート２１の曲率が最も小さくなるように形成されている。図１５において最も上に位置するスリットは、レイアウトチャート２１の曲率が最も大きくなるように形成されている。これらのスリット４５の間で上下方向に並ぶ他のスリット４５は、前記曲率が最小と最大との間で段階的に変化するように形成されている。
図１５に示すチャート用保持部４１は、図示していない基台に固定され、眼鏡フレーム５のフレームカーブに対応した曲率になるようなスリット４５にレイアウトチャート２１を挿入して使用される。なお、このチャート用保持部４１を使用する場合であっても、図１〜図１３に示した眼鏡フレーム用ホルダー４を使用して眼鏡フレーム５を保持することができる。
【００６９】
図１６に示すチャート用保持部４６は、レイアウトチャート２１の左右方向の両端部を保持する左右一対のクランプ部４７，４８と、これらのクランプ部４７，４８を支持する支持部４９とによって構成されている。２つのクランプ部４７，４８は、レイアウトチャート２１が移動自在に貫通するスリット５０が一つだけ形成されている。これらのクランプ部４７，４８は、それぞれ支持部４９に左右方向へ移動可能に支持されている。すなわち、図１６に示すチャート用保持部４６において、レイアウトチャート２１の曲率は、左側のクランプ部４７と右側のクランプ部４８との間隔を変えることによって変化させることができる。
【００７０】
図１６に示すチャート用保持部４６は、図示していない基台に固定して使用される。このチャート用保持部４６を使用する場合であっても、図１〜図１３に示した眼鏡フレーム用ホルダー４を使用して眼鏡フレーム５を保持することができる。
チャート用保持部を図１５および図１６に示すように構成しても図１〜図１４に示す実施の形態を採るときと同等の効果を奏する。
【符号の説明】
【００７１】
１…眼鏡加工用補助装置、２…基台、１５…穴、３…チャート用支持台、２１…レイアウトチャート、５…眼鏡フレーム、４…眼鏡フレーム用ホルダー、２３…上部バー、２４…下部バー、３１…保持機構、５ｄ…ブリッジ部、５ａ…リム部、５ｃ…智部、４１，４６…チャート用保持部。
【図１】
0005848054.tif 000002
【図２】
0005848054.tif 000003
【図３】
0005848054.tif 000004
【図４】
0005848054.tif 000005
【図５】
0005848054.tif 000006
【図６】
0005848054.tif 000007
【図７】
0005848054.tif 000008
【図８】
0005848054.tif 000009
【図９】
0005848054.tif 000010
【図１０】
0005848054.tif 000011
【図１１】
0005848054.tif 000012
【図１２】
0005848054.tif 000013
【図１３】
0005848054.tif 000014
【図１４】
0005848054.tif 000015
【図１５】
0005848054.tif 000016
【図１６】
0005848054.tif 000017